(57)【要約】【課題】簡単な操作で全ての内部に電子機器等を固定した引き出しを固定および固定解除できる車輌搭載用の多段式収納架を提供する。【解決手段】内部に機器を固定した引き出し１１を複数個収納する車輌搭載用の多段式収納架は、多段式収納架の筐体１０の前面左右両側で筐体１０に収納した複数の引き出し１１を固定する押え板１２を備え、押え板１２は引き出し１１を筐体１０から引き出すとき、引き出し１１の固定を解除するよう構成される。【選択図】図１
2008260433.tif 000002
【特許請求の範囲】
【請求項１】
内部に機器を固定した引き出しを複数個収納する車輌搭載用の多段式収納架において、
前記多段式収納架の筐体の前面左右両側で該筐体に収納した前記複数の引き出しを固定する押え板を備え、
前記押え板は前記引き出しを前記筐体から引き出すとき、前記引き出しの固定を解除するよう構成される、
ことを特徴とする車輌搭載用の多段式収納架。
【請求項２】
前記押え板は、上部を前記筐体にスライド式ロックで固定し、下部を前記筐体に引っ掛けるよう構成される、
請求項１に記載の車輌搭載用の多段式収納架。
【請求項３】
前記押え板は、上部から下部までの複数箇所においてひねりフックで固定するよう構成される、
請求項１に記載の車輌搭載用の多段式収納架。
【請求項４】
前記押え板は、上部および下部に設けた溝を前記筐体に取り付けたフックに引っ掛けて固定するよう構成される、
請求項１に記載の車輌搭載用の多段式収納架。
【請求項５】
前記押え板は、前記筐体の前面左右両側で蝶番を介して回転可能に固定され、
該押え板の上部を該上部に適合する前記筐体の位置に設けたスライド式ロックで固定するよう構成され、
前記押え板は、前記引き出しを引き出すとき、前記スライド式ロックによる固定を解除し、前記蝶番の中心軸の回りに回転される、
請求項１に記載の車輌搭載用の多段式収納架。
【請求項６】
前記引き出しは、背面に金属板を備え、
前記筐体の前記金属板に対向する位置にマグネットキャッチャを備えた、
請求項１乃至５の何れか一つに記載の車輌搭載用の多段式収納架。
【発明の詳細な説明】
【技術分野】
【０００１】
本発明は車輌搭載用の多段式収納架に関し、特に、収納架の各段に収納する内部に電子機器等を固定した引き出しの固定及び固定解除における操作時間を短縮しかつ容易に脱着可能にした車輌搭載用の多段式収納架に関する。
【背景技術】
【０００２】
近年、車輌に搭載する電子機器の種類と数量が増加しておりこれら電子機器を収納する多段式収納架が必要となっている。電子機器等を固定した引き出しは車輌に搭載されるので運搬時に振動・衝撃を受け、各引き出しは多段式収納架から脱落しないよう収納架本体にネジで固定されている。
【０００３】
図６は従来技術による「各引き出しネジ固定方式」の多段式収納架の外観図である。従来の車輌搭載用の多段式収納架には、下記１〜４の問題点がある。
１．車輌に搭載された内部に電子機器等を固定した引き出しは、多段式収納架の筐体６０内部に収納され、振動や衝撃を受け多段式収納架内部で飛び出したり脱落したりするので多段式収納架の筐体６０に引き出し６１を固定ネジ６２などで個別に固定する必要がある。
２．多段式収納架から引き出しを引き出して使用する際には引き出し６１の固定を解除する必要がある。それゆえ、使用する引き出しの数が多いと引き出しの固定を解除する作業に非常に時間を要する。
３．電子機器の使用後には引き出し６１を元の位置に戻し再度引き出し６１を筐体６０に固定しなければならず、再固定の作業に時間を要する。
４．引き出し６１の固定箇所が多い場合には、固定忘れなどの人為的ミスが発生する可能性が高くなる。
【０００４】
特許文献１は、関連技術に関する発明であり、複数の収納部を上下左右に備えた収納棚の一対が移動方向に互いに背中を合わせて移動台車に固定された移動棚に関する発明を開示するものである。しかしながら、収納部の固定および固定解除についての問題点の記載はされていない。
【０００５】
【特許文献１】特許第３２４４１６３号公報（明細書の［請求項１］、段落番号［０００１］、［０００７］および図面の［図１］、［図２］参照）。
【発明の開示】
【発明が解決しようとする課題】
【０００６】
本発明は上記問題点を鑑みてなされたものであり、簡単な操作で全ての内部に電子機器等を固定した引き出しを固定および固定解除できる車輌搭載用の多段式収納架を提供することを主目的とする。
【０００７】
本発明はまた、固定解除後に使用目的でない電子機器を固定した引き出しが安易に飛び出さないようにすることを第２の目的とする。
【課題を解決するための手段】
【０００８】
上記目的を達成する本発明による車輌搭載用の多段式収納架は、内部に機器を固定した引き出しを複数個収納する車輌搭載用の多段式収納架において、前記多段式収納架の筐体の前面左右両側で該筐体に収納した前記複数の引き出しを固定する押え板を備え、前記押え板は前記引き出しを前記筐体から引き出すとき、前記引き出しの固定を解除するよう構成される、ことを特徴とする。
【０００９】
上記装置において、前記押え板は、上部を前記筐体にスライド式ロックで固定し、下部を前記筐体に引っ掛けるよう構成される。
【００１０】
上記装置において、前記押え板は、上部から下部までの複数箇所においてひねりフックで固定するよう構成される。
【００１１】
上記装置において、前記押え板は、上部および下部に設けた溝を前記筐体に取り付けたフックに引っ掛けて固定するよう構成される。
【００１２】
上記装置において、前記押え板は、前記筐体の前面左右両側で蝶番を介して回転可能に固定され、該押え板の上部を該上部に適合する前記筐体の位置に設けたスライド式ロックで固定するよう構成され、前記押え板は、前記引き出しを引き出すとき、前記スライド式ロックによる固定を解除し、前記蝶番の中心軸の回りに回転される。
【００１３】
上記装置において、上記第２の目的を達成する本発明による車輌搭載用の多段式収納架は、前記引き出しは、背面に金属板を備え、前記筐体の前記金属板に対向する位置にマグネットキャッチャを備える。
【発明の効果】
【００１４】
本発明による多段式収納架は、簡単な機構で1つの動作、つまり押え板の固定および固定解除により内部に電子機器等を固定した引き出しの全てを固定および固定解除できる構造としたので、全ての引き出しの固定および固定解除の作業を短時間に行うことが可能となる。
【００１５】
複数の引き出しの固定および固定解除の操作が１つの動作で済み、簡単になるので、固定操作実施の確認が容易になり、固定操作忘れの人為的ミスが大幅に軽減され信頼性が向上する。
【００１６】
また、固定解除後、使用目的でない電子機器等を内部に固定した引き出しが安易に飛び出さないようにする機構も設けたので、電子機器の破損を防止できる。
【発明を実施するための最良の形態】
【００１７】
以下に本発明の実施の形態を図面を参照しつつ詳細に説明する。
図１は本発明の第１実施形態に係るスライド式ロック方式の多段式収納架の外観図であり、図１Ａは図１に示す多段式収納架の前方左上コーナＡの筐体内側面図であり、図１Ｂは同前方左上コーナＡの筐体内正面図であり、図１Ｃは同後方左上コーナＢの筐体内平面図であり、図１Ｄは同前方左下コーナＣの筐体内側面図であり、図１Ｅは同前方左下コーナＣの筐体内正面図である。
【００１８】
多段式収納架の筐体１０の前面両サイドに内部に電子機器を固定した引き出し１１を固定する押え板１２が設置できる構造になっている。図１Ａおよび１Ｂに示すように押え板１２の上部は溝１４が設けられたスライド式ロック１３によりネジ１５で固定される。スライド式ロック１３は押え板１２を固定または固定解除するため上下に移動できる。図１Ｄおよび１Ｅに示すように押え板１２の下部は筐体１０に設けた引っ掛け金具１８に引っ掛けネジ１９で固定する構造になっている。押え板１２の着脱はスライド式ロック１３の上下操作で容易にできる。
【００１９】
押え板１２を使用しないときは、押え板１２を外し筐体１０の側面に取り付けておくかまたは多段式収納架の周辺に置いておく。
【００２０】
また、各引き出し１１の背面には金属板、あるいは鉄板１６を設け、鉄板１６に対向する筐体１０側にはマグネットキャッチ１７を配設し、押え板１２による固定解除後に、引き出し１１が安易に飛び出さないようにしてある。
【００２１】
図２は本発明の第２実施形態に係るつまみネジ方式の多段式収納架の外観図であり、図２Ａは図２に示す多段式収納架の前方左上コーナＡの筐体内平面図であり、図２Ｂは同後方左上コーナＢの筐体内平面図である。
【００２２】
多段式収納架の筐体２０の両サイドに押え板２２を固定するつまみネジ２３を数箇所に設けている。つまみネジネジ２３を回すことで容易に押え板２２を着脱できる。
【００２３】
押え板２２を使用しないときは、押え板２２を外し筐体２０の側面に取り付けておくかまたは多段式収納架の周辺に置いておく。
【００２４】
また、各引き出し２１の背面には金属板、あるいは鉄板２６を設け、鉄板２６に対向する筐体２０側にはマグネットキャッチ２７を配設し、押え板２２による固定解除後に、引き出し２１が安易に飛び出さないようにしてある。
【００２５】
図３は本発明の第３実施形態に係るひねりフック方式の多段式収納架の外観図であり、図３Ａは図３に示す多段式収納架の前方左上コーナＡの筐体内側面図であり、図３Ｂは同前方左上コーナＡの筐体内正面図であり、図３Ｃは同後方左上コーナＢの筐体内平面図である。
【００２６】
多段式収納架の筐体３０の両サイドに押え板３２を固定するひねりフック３３を数箇所に設けている。ひねりフック３３を回すことで容易に押え板３２を着脱できる。
【００２７】
押え板３２を使用しないときは、押え板３２を外し筐体３０の側面に取り付けておくかまたは多段式収納架の周辺に置いておく。
【００２８】
また、各引き出し３１の背面には金属板、あるいは鉄板３６を設け、鉄板３６に対向する筐体３０側にはマグネットキャッチ３７を配設し、押え板３２による固定解除後に、引き出し３１が安易に飛び出さないようにしてある。
【００２９】
図４は本発明の第４実施形態に係るスライドバー方式の多段式収納架の外観図であり、図４Ａは図４に示す多段式収納架の前方左上コーナＡにおける押え板取付け時の筐体内正面図であり、図４Ｂは同前方左上コーナＡにおける押え板取外し時の筐体内正面図であり、図４Ｃは図４に示す多段式収納架の後方左上コーナＢの筐体内平面図である。
【００３０】
多段式収納架の筐体４０の両サイド横から押え板４２をフック４３に挿入し、フック４３で押え板４２を固定できるようにしている。具体的には、押え板４２は、上部およびに下部に設けられた溝４４を筐体４０に取り付けたフック４３に引っ掛けて固定される。押え板４２は上下させるだけでフック４３から外せ、容易に固定を解除できる。
【００３１】
また、各引き出し４１の背面には金属板、あるいは鉄板４６を設け、鉄板４６に対向する筐体４０側にはマグネットキャッチ４７を配設し、押え板４２による固定解除後に、引き出し４１が安易に飛び出さないようにしてある。
【００３２】
図５は本発明の第５実施形態に係る回転バー方式の多段式収納架の外観図であり、図５Ａは図５に示す多段式収納架の前方左上コーナＡにおける押え板取付け時の筐体内正面図であり、図５Ｂは図５に示す多段式収納架の前方左上コーナＡにおける押え板折曲げ時の筐体内正面図であり、図５Ｃは図５に示す多段式収納架の後方左上コーナＢの筐体内平面図である。
【００３３】
押え板５２は、筐体５０の両サイド横から、筐体５０の前面左右両側で図示の蝶番を介して回転することができ、押え板５２を蝶番の中心軸５４の回りに回転して折り曲げることで押え板５２が引き出し５１の前面に来た後、押え板５２をスライド式ロック５３で固定する。スライド式ロック５３は押え板５２の上部に適合する筐体５０の位置に設ける。
【００３４】
固定解除はスライド式ロック５３を解除し引き出し５１が引き出せる位置まで押え板５２を蝶番の中心軸５４の回りに逆回転させることで固定解除できる。
【００３５】
また、各引き出し５１の背面には金属板、あるいは鉄板５６を設け、鉄板５６に対向する筐体５０側にはマグネットキャッチ５７を配設し、押え板５２による固定解除後に、引き出し５１が安易に飛び出さないようにしてある。
【００３６】
（付記１）
内部に機器を固定した引き出しを複数個収納する車輌搭載用の多段式収納架において、
前記多段式収納架の筐体の前面左右両側で該筐体に収納した前記複数の引き出しを固定する押え板を備え、
前記押え板は前記引き出しを前記筐体から引き出すとき、前記引き出しの固定を解除するよう構成される、
ことを特徴とする車輌搭載用の多段式収納架。
【００３７】
（付記２）
前記押え板は、上部を前記筐体にスライド式ロックで固定し、下部を前記筐体に引っ掛けるよう構成される、
付記１に記載の車輌搭載用の多段式収納架。
【００３８】
（付記３）
前記押え板は、上部から下部までの複数箇所においてツマミねじで固定するよう構成される、
付記１に記載の車輌搭載用の多段式収納架。
【００３９】
（付記４）
前記押え板は、上部から下部までの複数箇所においてひねりフックで固定するよう構成される、
付記１に記載の車輌搭載用の多段式収納架。
【００４０】
（付記５）
前記押え板は、上部および下部に設けた溝を前記筐体に取り付けたフックに引っ掛けて固定するよう構成される、
付記１に記載の車輌搭載用の多段式収納架。
【００４１】
（付記６）
前記押え板は、前記筐体の前面左右両側で蝶番を介して回転可能に固定され、
該押え板の上部を該上部に適合する前記筐体の位置に設けたスライド式ロックで固定するよう構成され、
前記押え板は、前記引き出しを引き出すとき、前記スライド式ロックによる固定を解除し、前記蝶番の中心軸の回りに回転される、
付記１に記載の車輌搭載用の多段式収納架。
【００４２】
（付記７）
前記引き出しは、背面に金属板を備え、
前記筐体の前記金属板に対向する位置にマグネットキャッチャを備えた、
付記１乃至６の何れか一つに記載の車輌搭載用の多段式収納架。
【図面の簡単な説明】
【００４３】
【図１】本発明の第１実施形態に係る「スライド式ロック方式」の多段式収納架の外観図である。
【図１Ａ】図１に示す多段式収納架の前方左上コーナＡの筐体内側面図である。
【図１Ｂ】図１に示す多段式収納架の前方左上コーナＡの筐体内正面図である。
【図１Ｃ】図１に示す多段式収納架の後方左上コーナＢの筐体内平面図である。
【図１Ｄ】図１に示す多段式収納架の前方左下コーナＣの筐体内側面図である。
【図１Ｅ】図１に示す多段式収納架の前方左下コーナＣの筐体内正面図である。
【図２】本発明の第２実施形態に係る「つまみネジ方式」の多段式収納架の外観図である。
【図２Ａ】図２に示す多段式収納架の前方左上コーナＡの筐体内平面図である。
【図２Ｂ】図２に示す多段式収納架の後方左上コーナＢの筐体内平面図である。
【図３】本発明の第３実施形態に係る「ひねりフック方式」の多段式収納架の外観図である。
【図３Ａ】図３に示す多段式収納架の前方左上コーナＡの筐体内側面図である。
【図３Ｂ】図３に示す多段式収納架の前方左上コーナＡの筐体内正面図である。
【図３Ｃ】図３に示す多段式収納架の後方左上コーナＢの筐体内平面図である。
【図４】本発明の第４実施形態に係る「スライドバー方式」の多段式収納架の外観図である。
【図４Ａ】図４に示す多段式収納架の前方左上コーナＡにおける押え板取付け時の筐体内正面図である。
【図４Ｂ】図４に示す多段式収納架の前方左上コーナＡにおける押え板取外し時の筐体内正面図である。
【図４Ｃ】図４に示す多段式収納架の後方左上コーナＢの筐体内平面図である。
【図５】本発明の第５実施形態に係る「回転バー方式」の多段式収納架の外観図である。
【図５Ａ】図５に示す多段式収納架の前方左上コーナＡにおける押え板取付け時の筐体内正面図である。
【図５Ｂ】図５に示す多段式収納架の前方左上コーナＡにおける押え板折曲げ時の筐体内正面図である。
【図５Ｃ】図５に示す多段式収納架の後方左上コーナＢの筐体内平面図である。
【図６】従来技術による「各引き出しネジ固定方式」の多段式収納架の外観図である。
【符号の説明】
【００４４】
１０、２０、３０、４０、５０    多段式収納架の筐体
１１、２１、３１、４１、５１    引き出し
１２、２２、３２、４２、５２    押え板
１３、５３    スライド式ロック
１６、２６、３６、４６、５６    金属板（鉄板）
１７、２７、３７、４７、５７    マグネットキャッチ
２３    つまみネジ
３３    ひねりフック
４３    フック
【図１】
2008260433.tif 000003
【図１Ａ】
2008260433.tif 000004
【図１Ｂ】
2008260433.tif 000005
【図１Ｃ】
2008260433.tif 000006
【図１Ｄ】
2008260433.tif 000007
【図１Ｅ】
2008260433.tif 000008
【図２】
2008260433.tif 000009
【図２Ａ】
2008260433.tif 000010
【図２Ｂ】
2008260433.tif 000011
【図３】
2008260433.tif 000012
【図３Ａ】
2008260433.tif 000013
【図３Ｂ】
2008260433.tif 000014
【図３Ｃ】
2008260433.tif 000015
【図４】
2008260433.tif 000016
【図４Ａ】
2008260433.tif 000017
【図４Ｂ】
2008260433.tif 000018
【図４Ｃ】
2008260433.tif 000019
【図５】
2008260433.tif 000020
【図５Ａ】
2008260433.tif 000021
【図５Ｂ】
2008260433.tif 000022
【図５Ｃ】
2008260433.tif 000023
【図６】
2008260433.tif 000024